(57)【要約】【課題】可動式モニタを拘束しまた解除するための保持システムを提供する。【解決手段】本保持システムは、モニタ（１４）と、該モニタに結合されているラッチベール（３４）及び、ラッチング組立体（４２）とを含む。ラッチング組立体は、耳部（７０）を有するラッチ基台（４６）と、アーム部（９８）を有するラッチ（５０）と、張力装置（１３４）とを含む。ラッチは、閉及び開位置間で回転可能になるように、ラッチ基台にピボット結合される。張力装置は、開又は閉位置のいずれかに向かってラッチ（５０）を引き寄せるように、該ラッチ及びラッチ基台に係合する。ラッチング組立体は、ラッチが閉位置にある時に、ラッチベールが耳部とアーム部との間に保持されるように、該ラッチベールを受ける。【選択図】      図１
2006146196.tif 000002
【特許請求の範囲】
【請求項１】
可動式モニタを拘束するための保持システムであって、
モニタ（１４）と、
ラッチベール（３４）と、
ラッチング組立体（４２）と、を含み、
前記ラッチベール（３４）及びラッチング組立体（４２）の１つが、前記モニタ（１４）に結合され、
前記ラッチング組立体（４２）が、ラッチ基台（４６）と、ラッチ（５０）と、張力装置（１３４）とを含み、
前記ラッチ基台（４６）が少なくとも１つの耳部（７０）を有しかつ前記ラッチ（５０）が少なくとも１つのアーム部（９８）を有し、
前記ラッチ（５０）が、該ラッチ（５０）が閉及び開位置間で回転可能になるように、前記ラッチ基台（４６）にピボット結合され、
前記張力装置（１３４）が、該張力装置（１３４）が開又は閉位置のいずれかに向かって前記ラッチ（５０）を引き寄せるように、該ラッチ（５０）及びラッチ基台（４６）に係合し、
前記ラッチング組立体（４２）が、前記ラッチ（５０）が閉位置にある時に、前記ラッチベール（３４）が前記耳部（７０）とアーム部（９８）との間に保持されるように、該ラッチベール（３４）を受ける、
保持システム。
【請求項２】
前記ラッチ（５０）がベース部（９４）を有し、前記ラッチ（５０）が開位置にある時に、前記ラッチベール（３４）が、前記ラッチ（５０）が閉位置に向かって回転しかつ前記張力装置（１３４）が該ラッチ（５０）を閉位置に引き寄せるように、前記ベース部（９４）に係合する、請求項１記載の保持システム。
【請求項３】
前記アーム部（９８）及び耳部（７０）が各々、前記ラッチベール（３４）が閉位置において前記ラッチング組立体（４２）に係合している時に、前記ラッチベール（３４）が前記耳部（７０）とアーム部（９８）との間で該ラッチベール（３４）が移動する角度まで開位置に向かって前記ラッチ（５０）を移動させるように、該ラッチベール（３４）を案内する表面（１０６及び８６）を有する、請求項１記載の保持システム。
【請求項４】
前記ラッチ（５０）がハンドル（１１４）を含み、前記ハンドル（１１４）が、前記ラッチ（５０）が閉位置から開位置に向かって回転するように、移動可能である、請求項１記載の保持システム。
【請求項５】
前記張力装置（１３４）が、前記ラッチ（５０）が閉位置から一定の範囲内で回転した時に、該ラッチ（５０）を閉位置に向かって引き寄せ、前記張力装置（１３４）が、前記ラッチ（５０）が閉位置から前記一定の範囲を超えて回転した時に、前記ラッチ（５０）を開位置に向かって引き寄せる、請求項１記載の保持システム。
【請求項６】
前記張力装置（１３４）が、前記ラッチ（５０）が開位置から一定の範囲内で回転した時に、該ラッチ（５０）を開位置に向かって引き寄せ、前記張力装置（１３４）が、前記ラッチ（５０）が開位置から前記一定の範囲を超えて回転した時に、前記ラッチ（５０）を閉位置に向かって引き寄せる、請求項１記載の保持システム。
【請求項７】
前記ラッチング組立体（４２）が、張力装置リテーナ（１３８）を含み、前記張力装置リテーナ（１３８）が、前記張力装置（１３４）の第１の端部（１５０）に結合されかつ前記ラッチ（５０）に係合し、前記ラッチ基台（４６）が、前記張力装置（１３４）の対向する第２の端部（１５０）に結合され、前記張力装置（１３４）が、該張力装置（１３４）が閉位置又は開位置に向かって前記ラッチ（５０）を引き寄せるように、前記張力装置リテーナ（１３８）とラッチ基台（４６）との間で張力状態になっている、請求項１記載の保持システム。
【請求項８】
取付け面（１８）をさらに含み、前記モニタ（１４）に結合されていない前記ラッチベール（３４）及びラッチング組立体（４２）のもう一方が、前記ラッチベール（３４）が前記耳部（７０）とアーム部（９８）との間で前記閉じたラッチ内に受けられている時に、前記モニタ（１４）が前記取付け面（１８）から離れる方向のその移動を拘束されるように、前記取付け面（１８）に結合されている、請求項１記載の保持システム。
【請求項９】
前記モニタ（１４）が液晶ディスプレイモニタである、請求項１記載の保持システム。
【請求項１０】
前記モニタ（１４）が、可動作動アーム（２０８）に取付けられ、前記ラッチベール（３４）が前記ラッチング組立体（４２）内に保持されている時に、前記モニタ（１４）がその移動を制限される、請求項１記載の保持システム。
【発明の詳細な説明】
【技術分野】
【０００１】
本発明は、可動式モニタ又はスクリーンを保持しまた解除するための機構に関する。より具体的には、本発明の特定の実施形態は、連接型アームシステムに取付けられた液晶ディスプレイ（「ＬＣＤ」）を保持しまた解除するためのラッチシステムに関する。
【背景技術】
【０００２】
平面スクリーンモニタ、具体的にはＬＣＤモニタは、実業及び医学界でますます人気のあるコンピュータ付属品になりつつある。その薄い外形と軽量とにより、平面スクリーンモニタは、従来型のモニタに比べてより少ないスペースを占め、また可動式作動アームシステムに取付けることができる。これらの作動アームは、ランプ及び照明システムで通常使用するものと類似しており、多数のあらゆる望ましい方向にモニタを移動することができるように、様々なピボット点を有する。モニタの操作性は、極めて有用な特性である。例えば、ユーザは、ユーザの位置及び行動に応じてより見易くかつ人間工学的に的確な位置にモニタを移動させることができる。モニタの操作性は、処置の過程の間にモニタを異なった位置に調整しなければならない場合がある医療処置時に特に有益である。
【０００３】
しかしながら、モニタの操作性はまた、幾つかのの欠点を示している。モニタが軽量でありまた作動アームが摩滅してピボット点において緩くなる場合があるので、モニタは時々、ほんの僅かな接触によって不注意に動かされるか又は自然にその位置から動くことさえあるおそれがある。モニタのこの「自由な移動」は、モニタを高い損傷の危険性に曝し、さらにユーザにとって厄介なもの或いは安全性に問題があるものにさえする。
【特許文献１】米国特許第５８０２７７０号
【発明の開示】
【発明が解決しようとする課題】
【０００４】
従って、可動式モニタの移動をより良好に制御することができるような、可動式モニタを保持しまた解除するための機構に対する必要性が存在する。
【課題を解決するための手段】
【０００５】
本発明の特定の実施形態は、可動式モニタを拘束するための保持システムを含み、本保持システムは、モニタと、ラッチベールと、ラッチング組立体とを含み、ラッチベール及びラッチング組立体の１つが、モニタに結合されている。ラッチング組立体は、ラッチ基台と、ラッチと、張力装置とを含む。ラッチ基台は少なくとも１つの耳部を有しかつラッチは少なくとも１つのアーム部を有する。ラッチは、該ラッチが閉及び開位置間で回転可能になるように、ラッチ基台にピボット結合される。張力装置は、該張力装置が開又は閉位置のいずれかに向かってラッチを引き寄せるように、該ラッチ及びラッチ基台に係合する。ラッチング組立体は、ラッチが閉位置にある時に、ラッチベールが耳部とアーム部との間に保持されるように、該ラッチベールを受ける。
【０００６】
本発明の特定の実施形態は、可動作動アーム上に取付けられたモニタを拘束しまた解除するための保持システムを含む。本システムは、モニタと、モニタに結合されたラッチベールと、ラッチング組立体とを含む。ラッチング組立体は、ラッチ基台と、ラッチと、張力装置とを含む。ラッチ基台は、少なくとも１つの耳部を有しかつラッチは少なくとも１つのアーム部を有する。ラッチ基台は、取付け面に結合され、ラッチは、該ラッチがラッチ基台に対して閉及び開位置間で回転可能になるように、ラッチ基台に結合される。張力装置は、該張力装置がラッチを開又は閉位置のいずれかに保持するように、ラッチ及びラッチ基台に係合する。ラッチング組立体は、ラッチが閉位置にある時にモニタが移動を拘束されるように、ラッチベールを耳部とアーム部との間に受ける。ラッチは、ラッチベールが耳部とラッチアーム部との間から解除されるように、開位置に向かって移動可能である。
【０００７】
本発明の特定の実施形態は、可動作動アームに結合されたモニタを拘束する方法を含む。本方法は、それに結合されたラッチベールを有するモニタを準備する段階と、ラッチ基台に回転可能に結合されかつラッチ基台の周りを開及び閉位置間で移動可能なラッチを有するラッチング組立体を準備する段階とを含む。本方法はさらに、モニタをラッチング組立体に向かって移動させる段階と、ラッチング組立体が開位置にある場合には、ラッチがラッチベールを拘束可能に受けるように閉位置に回転し、またラッチング組立体が閉位置にある場合には、ラッチとラッチ基台との間にラッチベールを受けかつラッチが閉位置に回転して戻ってラッチベールを拘束可能に受けるような角度までラッチが開位置に向かって回転するように、ラッチング組立体を係合させる段階とを含む。
【発明を実施するための最良の形態】
【０００８】
本発明の特定の実施形態の以上の要約及び以下の詳細な説明は、添付の図面と共に読めばさらに良く理解されるであろう。発明を例示する目的で、図面には特定の実施形態を示す。しかしながら、本発明は、添付の図面に示す構成及び手段に限定されるものではないことを理解されたい。
【０００９】
図１は、コンピュータ組立体１０の斜視図を示す。コンピュータ組立体１０は、モニタ１４とハードドライブ１８とを含む。単なる実施例として、モニタ１４は、ＬＣＤモニタとすることができる。モニタ１４は、正面２６に少なくとも１つのスクリーン２２を有し、裏面３０において作動アーム（図示せず）に結合される。作動アームは、オペレータがスクリーン２２を見ることができるような多数のあらゆる異なる所望の位置にオペレータが自由にモニタ１４を移動させることを可能にする。モニタ１４はまた、その正面２６から外方に延びるハンドル形状のラッチ横木（ラッチベール）３４を含む。ラッチベール３４は、多数の何らかの方法によってモニタ１４に結合することができ、或いはモニタ１４と一体形にすることができる。ラッチベール３４は、プラスチック又は金属又は多数の何らかの他の好適な材料で作ることができる。単なる実施例として、ラッチベール３４は、アルミニウムで作ることができる。ラッチベール３４は、モニタ１４の正面２６とほぼ平行に配向したロッド３８を有する。別の実施形態では、ラッチベール３４は、多数の何らかの異なる形状及び配向を有することができ、例えばラッチベール３４のロッド３８は、正面２６から垂直方向下向きに又は前向きに延びることができる。
【００１０】
コンピュータ組立体１０はまた、ドッキング又はラッチング組立体４２を含む。ラッチング組立体４２は、ラッチ５０に結合されたラッチ基台４６を含む。ラッチ基台４６は、多数の何らかの異なる方法によってハードドライブ１８に結合される。それに代えて、ラッチ基台４６は、モニタ１４に近接させたデスク上面或いは他の何らかの地面に置いた又は固定した取付け面に結合することができる。ラッチング組立体４２は、何らかの低摩擦性材料で作ることができる。単なる実施例として、ラッチング組立体４２は、プラスチックで作られる。ラッチベール３４は、あらゆる方向においてモニタ１４の移動が制限されるように、ラッチ基台４６とラッチ５０との間でラッチング組立体４２内に受けられる。ラッチング組立体４２は、ラッチベール３４が解除されてモニタ１４を移動させることができるように、開状態にすることができる。
【００１１】
図２は、図１のラッチング組立体４２の分解斜視図を示す。ラッチ基台４６は、一端部から延びる端壁５８と、対向する端部から延びるラッチングセクション６２とを備えた基台プレート５４を有する。ラッチングセクション６２は、該ラッチングセクション６２の両側部において外方に延びる丸味のある耳部７０を含む。係合面７８と棚部８０とによって形成されたカットアウト部７２は、ラッチングセクション６２に沿って耳部７０間で延びる。ラッチングセクション６２は、耳部７０から離れる方向に係合面７８から下向きかつ垂直に延びる基台リップ部７４を含む。係合面７８は、それを貫通するスプリング用開口８２を含む。耳部７０は、それを貫通してカットアウト部７２まで延びるピン孔９６を含む。耳部７０は、その表面に沿って延びる摩耗衝撃（ｗｅａｒ−ｉｍｐａｃｔ）面８６を含む。基台プレート５４はさらに、それを貫通してネジ又は他の締結具を挿入してラッチ基台４６を取付け面に結合することができる開口６６を含む。基台プレート５４は、ラッチングセクション６２に近接してストップ面９０を含む。摩耗衝撃面９２は、基台プレート５４の一部分と端壁５８とに沿って延びる。操作中には、ラッチ基台４６は、基台プレート５４に沿って端壁５８と耳部７０との間でモニタ１４（図１）を受ける。端壁５８及び耳部７０上の摩耗衝撃面９２及び８６はそれぞれ、ラッチ基台４６及びモニタ１４の両方を摩耗から保護するように作用する。
【００１２】
図３は、ラッチ基台４６の底面斜視図を示す。基台プレート５４は、ラッチ基台４６を面に取付ける時にラッチ基台４６を支持するための、該基台プレート５４からから延びる支持ブロック１８２を有する。リップ部７４は、その底面１９０に沿った狭い間隙１８６を含む。間隙１８６は、その両側面における棚部１９４によってその一部が形成されて、間隙１８６が、棚部１９４に当接させてその中にピン１４２（図２）を受けかつ保持することができるようになる。
【００１３】
図２に戻ると、ラッチ５０は、その両側部からの湾曲アーム部９８を有するベース部９４を含み、アーム部９８とベース部９４との間に間隙１０２を形成する。アーム部９８は、その表面に沿って延びる摩耗衝撃面１０６を有する。ベース部９４は、アーム部９８に近接して該ベース部９４から延びる湾曲ハンドル１１４を含む。
【００１４】
図４は、図２のラッチ５０の斜視図を示す。ラッチ５０のベース部９４は、方形孔１２８を有す。ベース部９４はまた、そこから丸味のあるピボットセクション１１８が延びる底面１３０を有する。ピボットセクション１１８は、それを貫通する開口１２２を含む。また、ストップバー１２６が、ベース部９４の底面１３０から延びる。
【００１５】
図２に戻ると、ラッチング組立体はさらに、張力装置１３４と、張力装置リテーナ１３８と、ピン１４２、ピン１４４及びピン１４６とを含む。ラッチング組立体４２を組立てる時、ラッチ５０は、アーム部９８が耳部７０に向かって湾曲した状態でラッチ基台４６のカットアウト部７２内に配置され、ピボットセクション１１８が係合面７８と棚部８０とに係合し、ピボットセクション１１８の開口１２２が耳部７０のピン孔９６と整列する。次に、ピン１４６が、耳部７０のピン孔９６を貫通してピボットセクション１１８の開口１２２内に挿入されて、ラッチ５０をラッチ基台４６に固定する。ラッチ５０は、ピン１４６の周りでピボット動することができる。張力装置又はスプリング１３４は、その両端部にフック１５０を有する。別の実施形態では、張力装置は、２つの異なる点に結合しかつ２点間で張力状態になることができる多数の何らかの他の装置とすることができる。
【００１６】
図５は、図２の張力装置リテーナ１３８の底面斜視図を示す。キャップ形状の張力装置リテーナ１３８は、ベース部１５４を有し、ベース部１５４から方形状の壁１５８が延びて中空の内部セクション１５６を形成する。壁１５８は、その平行なセクションを貫通する開口１６２を有する。単なる実施例として、張力装置リテーナ１３８は、アルミニウムで作られる。
【００１７】
図２に戻ると、ラッチング組立体４２をさらに組立てるために、スプリング１３４のフック１５０は、スプリング用開口８２内に挿入される。ピン１４２は、フック１５０を貫通して延び、かつピン１４２は、リップ部７４の下方で間隙１８６（図３）内に受けられる。スプリング１３４の他のフック１５０は、張力装置リテーナ１３８の内部セクション１５６（図５）内に挿入される。次に、ピン１４４が、張力装置リテーナ１３８の開口１６２とフック１５０とを貫通して挿入されて、張力装置リテーナ１３８に対してスプリング１３４を保持する。次に、張力装置リテーナ１３８は、壁１５８がラッチ５０の孔１２８内に受けられかつ張力装置リテーナ１３８のベース部１５４がラッチ５０のベース部９４に係合するように、ラッチ５０内に配置される。スプリング１３４は、ラッチ基台４６と張力装置リテーナ１３８との間で張力状態にあり、ラッチ基台４６に対してラッチ５０を保持する。
【００１８】
図６は、図１の組立てられたラッチング組立体４２の斜視図を示す。ラッチング組立体４２は、ラッチ５０が、該ラッチ５０のストップバー１２６（図４）がラッチ基台４６上のストップ面９０（図２）に係合しかつアーム部９８と耳部７０とが閉鎖領域１９８を形成する閉位置にあるように組立てられる。スプリング１３４（図２）は、ラッチ５０を閉位置に保持する。操作中、ラッチ５０は、ピン１４６の周りで、ラッチ基台４６のリップ部７４がラッチ５０のハンドル１１４と抵抗状態で係合する開位置まで矢印Ａの方向に回転することができる。ラッチ５０が開位置にある時は、ラッチ５０は、ピン１４６の周りで、開位置から閉位置に戻るように矢印Ｂの方向に回転することができる。単なる実施例として、ラッチ５０は、開及び閉位置間で４０〜５０度の範囲内で回転することができる。更なる実施例として、ラッチ５０は、開及び閉位置間で４３．７度ほど回転することができる。ラッチ５０が閉位置から開位置に向かって一定の距離、単なる実施例として約２２度だけ回転した時、スプリング１３４は、ラッチ５０を閉位置に向かって引き寄せることから自動的に切り替わり、ラッチ５０を開位置に向かって引き寄せるようなモーメントを該ラッチ５０に加える。スプリング１３４は、ラッチ５０を開位置に保持するが、ラッチ５０が開位置から閉位置に向かって一定の距離だけ回転した時、スプリング１３４は、ラッチ５０を開位置に向かって引き寄せることから自動的に切り替わり、ラッチ５０を閉位置に向かって引き寄せるようなモーメントを該ラッチ５０に加える。この動作では、スプリング１３４は、ラッチ５０をどちらかの位置に引き寄せかつ保持することができるトグル装置として働く。
【００１９】
図７は、図１のラッチベール３４の斜視図を示す。ラッチベール３４は、側壁１７０と垂直に形成されたベースプレート１６６を含む。ベースプレート１６６は、それを貫通して締結具を挿入して該ベースプレート１６６をモニタ１４（図１）に結合することができる開口１７４を含む。ハンドル形状のロッド３８は、側壁１７０から延びて間隙１７８を形成する。
【００２０】
図８は、図１のモニタ１４と開位置にある図６のラッチング組立体４２との側面断面図を示す。ラッチング組立体４２が開位置にある時は、ラッチ５０のベース部９４は、ラッチ基台４６のリップ部７４に係合し、ラッチ５０のピボットセクション１１８は、ラッチ基台４６の係合面７８に係合する。ラッチ５０のベース部９４は、耳部７０とラッチ５０のアーム部９８との間でラッチ基台４６の耳部７０を超えて外方に延びる。係合面７８上でのスプリング１３４の配向に対するピボットセクション１１８の配向は、スプリング１３４がラッチ５０を開位置に保持するような張力状態になることを可能にする。
【００２１】
操作中、ラッチング組立体４２内にラッチベール３４をドッキングさせるために、ラッチ基台４６の耳部７０がラッチベール３４の間隙１７８（図７）内に受けられかつラッチベール３４のロッド３８がラッチ５０のベース部９４に係合するように、モニタ１４を作動アーム２０８上でラッチング組立体４２に向かって移動させる。ロッド３８がベース部９４に対して矢印Ｃの方向に押付けられるので、ラッチ５０は、スプリング１３４の張力に抗して矢印Ｂの方向に回転するように押される。ラッチ５０が矢印Ｂの方向に一定距離だけ回転した後に、係合面７８上でのスプリング１３４の配向に対するピボットセクション１１８の配向は、張力状態にあるスプリング１３４がラッチ５０を閉位置に向かって引き寄せることを可能にする。次に、ラッチ５０は、ストップバー１２６がラッチ基台４６のストップ面９０に係合する閉位置まで移動する。単なる実施例として、ラッチ５０は、スプリング１３４がラッチ５０を閉位置に引き寄せるためには、開位置から閉位置に向かって約２２度だけ回転しなければならない。この動作では、スプリング１３４は、ラッチ５０が閉位置に向かって一定距離だけ回転した後に、自動的にラッチ５０を開位置に向かって引き寄せることからラッチ５０を閉位置に引き寄せることに切り替わることができるトグル装置として働く。
【００２２】
図９は、ラッチベール３４を受けかつ閉位置にあるラッチング組立体４２の側面断面図を示す。ラッチ５０は、閉位置にあり、ラッチベール３４のロッド３８は、ラッチ基台４６の耳部７０とラッチ５０のアーム部９８との間で閉鎖領域１９８（図６）内に受けられている。また、モニタ１４は、耳部７０と端壁５８との間でラッチ基台４６の基台プレート５４上に配置されている。スプリング１３４は、ラッチベール３４の周りで閉位置にラッチ５０を保持する張力状態にある。このようにして、ラッチング組立体４２は全体として、多数のあらゆる方向に移動することからモニタ１４を保持し又は拘束する。具体的には、耳部７０は、ラッチベール３４がロッド３８の係合によって矢印Ｅの方向に移動するのを防止し、かつラッチベール３４が該ラッチベール３４の側壁１７０の係合によって矢印Ｆの方向に移動するのを防止する。また、ロッド３８が矢印Ｄの方向に移動した時に、ロッド３８が、アーム部９８が回転しないようにピボット点においてアーム部９８に係合するので、ラッチ５０は、ラッチベール３４が矢印Ｄの方向に移動するのを防止する。
【００２３】
ラッチング組立体４２からラッチベール３４を解除してモニタ１４を自由に移動させることができるようにするためには、オペレータは、単にラッチ５０のハンドル１１４を矢印Ａの方向に押下げるだけである。ラッチ５０を矢印Ａの方向に一定の距離だけ回転させた後に、係合面７８上でのスプリング１３４の配向に対するピボットセクション１１８の配向により、スプリング１３４がラッチ５０を開位置に向けて引き寄せるような張力状態になることが可能になる。次に、ラッチ５０のベース部９４がラッチ基台４６のリップ部７４に係合する開位置に向かって、ラッチ５０を回転させる。開位置に向かってラッチ５０を回転させた時のラッチ５０への張力荷重は、ドッキング解除中にラッチベール３４を取り外すのを助ける。次に、オペレータは、ラッチング組立体４２から離れる方向にラッチベール３４を引き寄せることができる。単なる実施例として、スプリング１３４がラッチ５０を開位置に引き寄せるようにするためには、閉位置から開位置に向かって約２２度だけラッチ５０を回転させなければならない。
【００２４】
それに代えて、オペレータは、ラッチング組立体４２が既に閉位置にある時に、ラッチング組立体４２内にラッチベール３４を固定することができる。図９に示すように、ラッチング組立体４２が閉位置にある時、ロッド３８がほぼ矢印Ｃの方向に内面又は斜面２００において湾曲耳部７０に係合しかつ上面又は傾面２０４において湾曲アーム部９８に係合するように、ラッチング組立体４２に向かってモニタ１４を移動させる。それぞれ耳部７０及びアーム部９８の摩耗衝撃面８６及び１０６は滑らかでありかつ最小の摩擦量を生じるので、アーム部９８及び耳部７０は、それらの間にラッチベール３４のロッド３８を滑動せながら案内することができ、ラッチベール３４がアーム部９８を、従ってラッチ５０全体を開位置に向かって矢印Ａの方向に押すようになる。ロッド３８がアーム部９８の上面２０４を超えてアーム部９８と耳部７０との間でラッチ５０のベース部９４に当接するように滑動した後に、ラッチ５０は、スプリング１３４によって閉位置に引き戻されて、ラッチベール３４をラッチング組立体４２内に固定する。従って、オペレータは、ラッチベール３４をラッチング組立体４２内に固定するために、ラッチ５０に触れる必要は全くない。
【００２５】
別の実施形態では、ラッチング組立体４２は、自由に移動する作動アームシステムに結合された多数の何らかの他の種類のモニタ、スクリーン、テレビジョン等を拘束するために使用することができる。さらに別の実施形態では、ラッチベール３４は、該ラッチベール３４をラッチング組立体４２のアーム部９８と耳部７０との間に拘束することを可能にする多数の何らかの他の形状及び／又は配向を有することができる。さらに別の実施形態では、ラッチング組立体４２は、該ラッチング組立体４２が上方から矢印Ｃの下向き方向以外の多数のあらゆる異なる方向及び配向からラッチベール３４を受けることができるように、構成しかつ配向することができる。例えば、ラッチ基台４６及びラッチ５０は、モニタ１４の反対方向に外向きに延び、かつ矢印Ｅの方向からラッチベール３４を受けるように構成することができる。さらに別の実施形態では、ラッチ基台４６の耳部７０及びラッチ５０のアーム部９８は、ラッチ５０が閉位置にある時に、互いに重なり合うか又は互いに接触するよにすることができ、或いは１つが他方の内部に受けられるようにすることもできる。それに代えて、ラッチ基台４６は、ただ１つの耳部７０又は２つ以上の耳部７０を含むことができ、またラッチ５０は、ただ１つのアーム部９８又は２つ以上のアーム部９８を含むことができる。それに代えて、ラッチ基台４６は、湾曲アーム部９８を含むことができ、またラッチ５０は、丸味のある耳部７０を含むことができる。さらに別の実施形態では、ラッチング組立体４２をモニタ１４に結合しかつラッチベール３４を取付け面に結合して、モニタ上のラッチング組立体４２が取付け面に結合されたラッチベール３４に対して該ラッチング組立体４２を固定するように作動するようにすることができる。
【００２６】
様々な実施形態のラッチング組立体は、多数の利点を提供する。第１に、ラッチング組立体は、モニタを移動させることをオペレータが欲しない場合には、作動アームに結合されたモニタを容易に拘束する方法を提供する。この方法では、ラッチング組立体は、モニタが損傷するか又はオペレータにとって邪魔なものになるのを防止する。
【００２７】
第２に、張力装置を備えた状態で組立てた場合には、ラッチは、システムが開又は閉構成でラッチベールを受けかつ該ラッチベールに係合するのを可能にし、またラッチが開又は閉位置のいずれかの状態を維持するのを可能にする、オーバセンタ機構となる。この方式では、ラッチは、トグル装置として作動する。このトグルシステムは、ラッチシステム内にラッチベールをドッキングさせるために、オペレータがラッチに触れる必要がないので、モニタを拘束する上で極めて有用である。換言すれば、オペレータは、ラッチング組立体が開位置にあるか否かに関係なく、ラッチベールをラッチング組立体内に案内するために片手を必要とするだけである。その代わりに、トグル作用によってラッチを開位置にした後に、オペレータは、ラッチベールを手に取ってラッチベールをラッチング組立体から取り外す必要があるだけであるので、片手だけはラッチングシステムからラッチベールを解除するのに必要である。ラッチ上の張力荷重は、ドッキング解除中にラッチベールを取り外すのを助ける。このようなシステムは、オペレータが電話中である又は何らかの他の行動に従事している可能性があるようなオフィスの環境においては明らかに有益である。本システムは、医療専門家がモニタを拘束するか又は解除するために片手だけしか使用できないような手術室の環境において特に有益である。
【００２８】
第３は、本ラッチング組立体の特有な様態の１つは、ラッチング組立体がオペレータにとって明確に視認できることである。人間工学的研究によると、ラッチング装置及びラッチングされるアイテムがオペレータに視認できない場合には、ドッキング行程は困難なものになることを示している。
【００２９】
本発明を特定の実施形態に関して説明してきたが、本発明の技術的範囲から逸脱することなく様々な変更を加えることができまた均等物で置き換えることができることは、当業者には明らかであろう。さらに、本発明の技術的範囲から逸脱することなく特定の状況又は物的要件を本発明の教示に適合させるように、多くの修正を加えることができる。従って、本発明は開示した特定の実施形態に限定されるものではなくて、本発明は特許請求の範囲の技術的範囲内に属する全ての実施形態を含むことになることを意図している。また、図面の符号に対応する特許請求の範囲中の符号は、単に本願発明の理解をより容易にするために用いられているものであり、本願発明の範囲を狭める意図で用いられたものではない。そして、本願の特許請求の範囲に記載した事項は、明細書に組み込まれ、明細書の記載事項の一部となる。
【図面の簡単な説明】
【００３０】
【図１】本発明の実施形態により形成した従来型のコンピュータ組立体の斜視図。
【図２】本発明の実施形態により形成した、図１のラッチング組立体の分解斜視図。
【図３】図２のラッチ基台の底面斜視図。
【図４】図２のラッチの斜視図。
【図５】図２の張力装置リテーナの底面斜視図。
【図６】図１のラッチング組立体の斜視図。
【図７】図１のラッチベールの斜視図。
【図８】図１のモニタと開位置における図６のラッチング組立体との側面断面図。
【図９】図１のモニタと閉位置における図６のラッチング組立体との側面断面図。
【符号の説明】
【００３１】
１０  コンピュータ組立体
１４  モニタ
１８  取付け面
２２  スクリーン
３４  ラッチベール
３８  ロッド
４２  ラッチング組立体
４６  ラッチ基台
５０  ラッチ
７０  ラッチ基台の耳部
８６、９２，１０６  摩耗衝撃面
９４  ラッチのベース部
９８  ラッチのアーム部
１１４  ハンドル
１３４  張力装置
１３８  張力装置リテーナ
２０８  作動アーム
【図１】
2006146196.tif 000003
【図２】
2006146196.tif 000004
【図３】
2006146196.tif 000005
【図４】
2006146196.tif 000006
【図５】
2006146196.tif 000007
【図６】
2006146196.tif 000008
【図７】
2006146196.tif 000009
【図８】
2006146196.tif 000010
【図９】
2006146196.tif 000011